(57)【要約】【課題】多数個のブロックを用いて段積みにより壁体を形成した場合に、小動物の脱出その他の移動を可能にする誘導路を略連続させた状態に形成できる誘導路形成用ブロックの提供を目的とする。【解決手段】複数個のブロックの段積みにより連続した誘導路を形成する壁体形成用ブロックにおいて、前面六角形ブロックとして六角形の上辺を水平方向にした段積みにより壁体を形成して、上辺とその左右辺とにより上下方向の誘導路を連続させた状態に設ける形状であり、特に、前面六角形ブロックが、ブロック前面Ｒ１が水平方向に長く扁平な六角形状で、上辺を平坦なステージ部Ｒ１２として中央に配し、その左右辺の下降緩斜面が、左右にそれぞれ連設された形状が好ましい誘導路を形成する。【選択図】図５
2008101460.tif 000002
【特許請求の範囲】
【請求項１】
複数個のブロックの段積みにより連続した誘導路を形成するべく、ブロック前面において凸条、凹条、又は段差をその端部が隣接するブロック間で連続する位置に設けたことを特徴とする誘導路形成用ブロック。
【請求項２】
凸条、凹条、又は段差が上段ブロックと下段ブロックで異なる方向に設けられ、谷積みにより誘導路を形成するようにした請求の範囲第１項記載の誘導路形成用ブロック。
【請求項３】
誘導路が、ブロック前面端部又は中ほどに平坦部を有する請求の範囲第１項記載の誘導路形成用ブロック。
【請求項４】
誘導路が、平坦部両側に斜め下方から上昇、又は平坦部両側から斜め上方に上昇するよう設けられた請求の範囲第１項記載の誘導路形成用ブロック。
【請求項５】
誘導路を形成した前面板の背部控側に空洞部を有すると共に、前記前面板に連通孔を設けた請求の範囲第１項ないし第４項のいずれかに記載の誘導路形成用ブロック。
【請求項６】
誘導路を形成したブロックが前面板と控部とからなる間知ブロック形である請求の範囲第２項記載の誘導路形成用ブロック。
【請求項７】
誘導路に滑止めの凹凸を形成した請求の範囲第１項ないし第６項のいずれかに記載の誘導路形成用ブロック。
【請求項８】
誘導路又は誘導路近傍に植生機能を付与する溝又は穴を設けた請求の範囲第１項ないし第７項のいずれかに記載の誘導路形成用ブロック。
【請求項９】
ブロック前面上部の天面部分が下降緩斜面として形成されており、複数個のブロックを多段積みした際には、前記下降緩斜面が複数個のブロックに亘って上下方向に連続する斜路となるものである誘導路形成用ブロック。
【請求項１０】
ブロック前面が水平方向に長く扁平な略六角形状をしており、下降緩斜面が、平坦なステージ部を中央に配して左右にそれぞれ連設されたものである請求の範囲第９項記載の誘導路形成用ブロック。
【請求項１１】
ブロック前面が二等辺三角形状をしており、下降緩斜面が二つの等辺の天面部分に設けられてなる請求の範囲第９項記載の誘導路形成用ブロック。
【請求項１２】
ブロック前面より背面側に控えた位置において上方に立設された突起部の天面部分が下降緩斜面として形成されており、複数個のブロックを多段積みした際には、前記下降緩斜面が、ブロック前面上部の天面部分を介しながら複数個のブロックに亘って上下方向に連続する斜路となるものである誘導路形成用ブロック。
【請求項１３】
少なくとも下降緩斜面の表面が、凹凸状又は粗面状に形成されているものである請求の範囲第９項ないし第１２項のいずれかに記載の誘導路形成用ブロック。
【請求項１４】
ブロック前面が略垂直面をなしており、多段積みする際には下段に位置するブロックより上段に位置するブロックを背面方向にずらして階段状に配置されるものである請求の範囲第９項ないし第１３項のいずれかに記載の誘導路形成用ブロック。
【請求項１５】
下降緩斜面を備えたブロック前面上部が、下降緩斜面のないブロック前面下部より前面方向に突出形成されてなる請求の範囲第９項、第１０項、第１３項又は第１４項のいずれかに記載の誘導路形成用ブロック。
【請求項１６】
ブロックの天面と底面において、多段積みされるブロック同士の連結部が対応形成されていることを特徴とする請求の範囲第９項、第１０項、第１３項又は第１４項のいずれかに記載の誘導路形成用ブロック。
【請求項１７】
ブロック前面と背面控部との間に空洞部が設けられており、該空洞部と連通する開口がブロック前面又は上面に穿設されていることを特徴とする請求の範囲第９項ないし第１６項のいずれかに記載の誘導路形成用ブロック。
【請求項１８】
完成した壁体前面に貼着固定されるコンクリート製パネル材であって、前面側に凸条、凹陥部又は段差が設けられており、壁体前面に貼着固定した際には前記凸条等の端部同士が隣接するパネル間で連続し、略上下方向に連続する緩斜面をなす誘導路として形成されるものである、誘導路を備えた壁体構築用パネル材。
【請求項１９】
誘導路の表面が、凹凸状又は粗面状に形成されているものである請求の範囲第１８項記載の誘導路を備えた壁体構築用パネル材。
【請求項２０】
コンクリート製壁体の構築に用いられる型枠であって、コンクリート打設面側に凸条、凹陥部又は段差が設けられており、壁体が完成した際には壁体前面において前記凸条等が略上下方向に連続する緩斜面をなす誘導路が転写形成されるものである、誘導路を備えた壁体構築用型枠。
【請求項２１】
完成した壁体における誘導路の表面に相当するコンクリート打設面が、凹凸状又は粗面状に形成されているものである請求の範囲第２０項記載の誘導路を備えた壁体構築用型枠。
【請求項２２】
コンクリート製壁体の構築に用いられる型枠であって、コンクリート打設面側に背筋を備える一方、前面側に凸条、凹陥部又は段差が設けられており、壁体が完成した際には壁体前面において前記凸条等が略上下方向に連続する緩斜面をなす誘導路として形成されるものである、誘導路を備えた壁体構築用型枠。
【請求項２３】
誘導路の表面が、凹凸状又は粗面状に形成されているものである請求の範囲第２２項記載の誘導路を備えた壁体構築用型枠。
【発明の詳細な説明】
【技術分野】
【０００１】
本発明は、擁壁や護岸等の壁体において緩斜面をなす通路を形成することにより、小動物の移動や生物の生息環境の再生を可能にする誘導路形成用ブロックと、完成した既設の壁体の前面に貼着固定して誘導路を形成するパネル材、及び壁体構築時に用いて壁体前面に誘導路を形成する型枠に関する。
【背景技術】
【０００２】
コンクリート構造物の壁面が小動物の移動の妨げになったり、生息環境を破壊している状況を解消するべく、従来から様々な構造のブロックが提案されている。例えば、狭水路に転落した小動物の脱出誘導を図るために、Ｕ字形側溝の外側任意位置に対して部分的に連設することにより地表面までの誘導路として機能する傾斜壁を備えたブロック（日本特開平９−３２０９７号公報）、一般的な水路ブロックの一内壁面又は両内壁面に沿うように設置すると階段状又は粗面状の斜路が形成されるブロック（日本特開平９−２５０１２１号公報）、水路桝ブロック本体に脱出用スロープを形成したもの（日本実公平６−２６５６９号公報）、Ｕ字形側溝において一体的に形成された外方膨出部の踊り場から脱出用斜面を形成したもの（日本実公平７−５４３８３号公報）等が例示される。
【０００３】
側溝や狭水路のように、幅が狭く地表面からさほど深くない通水路の場合には、前記ブロック側壁の一部に開口を設けて脱出誘導路を形成するブロックを連設したり、連続的に設置するブロックの一部に誘導路を備えたブロックを組み入れることで対応することができる。しかしながら、こうした従来のブロックを小川や河川、海岸、道路等における側壁や擁壁等の壁体に対して設置することは殆どの場合不可能である。
【０００４】
すなわち、これら壁体は、多数個のブロックを布積みや谷積みする段積み施工によって高く形成されるのが一般的であるし、のみならず、ほぼ垂直に切り立った壁面として形成されることも多かった。また、壁体の前面部分が全体的に平滑な状態に仕上げられていたり、下段ブロックと上段ブロックとの間が完全に分断されていたりしたために、小動物が下から這い上がったり、逆に陸上から水辺へと移動することが極めて困難であった。
【０００５】
さらに、側溝や狭水路であれば、小動物が水と共に流される間に誘導路が連設された開口部分や誘導路の踊り場部分に辿り着くことも可能であるが、広範囲に施工されるのが通例である壁体の場合、壁体と未施工のまま残された切り通しや岸辺との境界部分のような、誘導路となりうる場所にまで小動物が辿り着くことは殆ど奇跡に近い。
【０００６】
さらにまた、新たに構築される壁体であればともかく、完成した既設の壁体において小動物の移動を可能にする手段はなかったし、施工現場において型枠を用いて直接コンクリートを打設する壁体構築方法に対応させる必要もある。
【０００７】
【特許文献１】特開平９−３２０９７号公報
【特許文献２】特開平９−２５０１２１号公報
【特許文献３】実公平６−２６５６９号公報
【特許文献４】実公平７−５４３８３号公報
【発明の開示】
【発明が解決しようとする課題】
【０００８】
そこで、本発明では、多数個のブロックを用いて段積みにより壁体を形成した場合に、小動物の脱出その他の移動を可能にする誘導路（以下、単に「斜路」ともいう）を略連続させた状態に形成できる誘導路形成用ブロックの提供を第１の目的とする。
【０００９】
また、本発明では、完成した既設の壁体前面に対して貼着固定することにより小動物の脱出誘導路（斜路）を略連続させた状態に形成できるパネル材の提供を第２の目的とし、さらに、壁体を新たに設置する際に用いれば簡易に誘導路を形成できる型枠の提供を第３の目的とする。
【００１０】
そして、誘導路の創出と同時に植生にも配慮して、多自然型の壁体面を形成することによって、生物の生息できる環境の再生を総合的に図ることを目的とする。
【課題を解決するための手段】
【００１１】
本発明に係る誘導路形成用ブロックでは、壁体の前面（化粧面）に複数個のブロックの段積みにより連続した誘導路を形成するべく、凸条、凹条、又は段差をその端部が隣接するブロック間で連続する位置に設けたことを特徴とする構造とした。ここにいう誘導路とは、壁体を下方から上方へ、又はその逆方向に生物が移動できるように設けられた路をいい、必ずしも斜めに設けられた状態のみをいうのではなく、ブロック前面端部又は中ほどに誘導路に連なる略水平方向の平坦部（ステージ）を有するように途中が平坦になっていたり、湾曲しているものも含まれる。また、誘導路はブロック前面に垂直面として形成するのが好ましいが、傾斜面として形成してもよい。さらに、上段ブロックと下段ブロックで凸条が異なる方向に設けられたブロックを用い、誘導路を略連続させて形成するように谷積みしてもよい。そして、本発明にいう壁体は、垂直積み擁壁であっても、斜積み擁壁、もたれ式擁壁等の擁壁であってもよく、いわゆる擁壁面のみならず小さな川の側壁面等も含むものである。
【００１２】
また、ここにいう隣接するとは、縦横又は斜めに隣り合うことである。詳しくは、凸条、凹条、又は段差が上段ブロックと下段ブロックで異なる方向に設けられ、谷積みにより誘導路を形成するようにした誘導路形成用ブロックとか、誘導路がブロック前面の端部又は中ほどに平坦部を有する誘導路形成用ブロック、すなわち、誘導路が平坦部両側に斜め下方から上昇、又は、平坦部両側から斜め上方に上昇するよう設けられた誘導路形成用ブロックが好ましい。平坦部は生物に休息の場を提供するし、上昇又は下降する方向の変更や選択の機会を与える。水際部に生息する生物においては、誘導路が上下に連通することにより、水位の変動に関わりなく壁面上を自由に移動可能な斜路状の水際部が確保され、常に生態に適した生息環境が維持される。
【００１３】
このような誘導路形成用ブロックには、誘導路を形成した前面板の背部控側に空洞部を設けると共に、前記前面板に連通孔を設けると、壁体は石や土砂を充填することにより透水性を持ち、生物を乾燥から守ることもできる。また、植生の基盤としても有効に機能するため生物に生息空間を与える好ましい態様となる。
【００１４】
上段ブロックと下段ブロックで凸条が異なる方向に設られたブロックを用い、誘導路を形成するように谷積みするのに用いるためには、誘導路形成用ブロックが前面板と控部とからなる間知ブロック形が好ましい。
【００１５】
上記誘導路には滑止めの凹凸を形成したり、誘導路又は誘導路近傍に植生機能を付与する溝又は穴を設けるとより好ましい多自然型の態様となる。更に、ブロックの化粧面に植生機能を付与する層を吹付けるとか一体成形することも好ましい。植生機能を付与する層としては多孔質コンクリートや木粉等の有機質、炭素質、その植生に好適な物資の固化体層である。
【００１６】
また、本発明に係る誘導路形成用ブロックでは、壁体を構成するブロックを、ブロック前面上部の天面部分が下降緩斜面として形成されており、複数個のブロックを多段積みした際には、前記下降緩斜面が複数個のブロックに亘って上下方向に連続する斜路となるように形成した。ここにいう斜路は、前記の誘導路と同意である。
【００１７】
ブロック前面上部の天面部分を下降緩斜面として形成可能であるならば個々のブロックの形状は問わないが、より具体的な形状としては、ブロック前面が水平方向に長く扁平な略六角形状をしており、下降緩斜面が、平坦なステージ部を中央に配して左右にそれぞれ連設されたものを採用しうる。また、ブロック前面が二等辺三角形状をしており、下降緩斜面が二つの等辺の天面部分に設けられたものや、ブロック前面より後方側に控えた位置において上方に立設された突起部の天面部分が下降緩斜面として形成されており、複数個のブロックを多段積みした際には、前記下降緩斜面が、ブロック前面上部の天面部分を介しながら複数個のブロックに亘って上下方向に連続する斜路となるものも採用しうる。なお、ブロック前面が二等辺三角形状をしたものの場合、ブロックの上下方向を順に逆向きにしながら横方向に並べていくことになる。
【００１８】
下降緩斜面、つまり斜路の表面は、小動物の移動に配慮して、凹凸状又は粗面状に形成するとよい。具体的には、表面に小突起や小さな窪みを規則的又は不規則的に配置してみたり、表面を小階段状に形成したりと、様々な滑り止め加工を採用しうる点は、先の誘導路形成用ブロックと同じである。
【００１９】
ブロック前面が略垂直面をなしている場合には、ブロックを多段積みする際に、下段に位置するブロックより上段に位置するブロックを背面方向にずらして階段状に配置することで、個々のブロックに形成された下降緩斜面を連続させることができる。一方、ブロックを垂直方向に多段積みする必要がある場合には、下降緩斜面を備えたブロック前面上部を、下降緩斜面のないブロック前面下部より前面方向に突出形成することで対応できる。
【００２０】
ブロックの積み上げ方法にかかわらず、ブロックの天面と底面において、多段積みされるブロック同士の連結部を対応形成しておくと、施工の迅速化や脱落防止が図られる。とくにブロックを階段状に施工する場合には、上段に位置するブロックを背面方向にずらす際の位置決めが容易となる。連結部としては、突起とそれに対応する凹陥部や嵌合穴の組み合わせのほか、ピンを用いた連結方法、別途連結部材を用いる方法等が例示される。
【００２１】
また、本発明に係る誘導路形成用ブロックでは、ブロック前面と背面控部との間に空洞部を設けて、該空洞部と連通する開口をブロック前面又は上面に穿設することにより、植生が可能な多自然型の壁体を実現することができる。とくに、ブロックを階段状に設置する場合、下段に位置するブロックの上部天面が露出することになるので、天面に穿設した開口（透孔）から露出した胴込土砂等より植生が図られるし、ブロック前面をパネル板状に形成して空洞部まで連通する開口が露出するようにしておくと、やはり胴込めされた土砂等から自然な植生が図られる。
【００２２】
以上のような本発明に係る誘導路形成用ブロックは、背面控部を含めた全体をコンクリート製の一体成型品として製造されるのが一般的であるが、背面控部の全部又は一部に金属製や繊維製のネットを用いたもの、例えばコンクリート製で略板状をしたブロック前面より背面側に略コ字形の金網が延設され、全体としてボックス形状をしたものなども含まれる。
【００２３】
さらに本発明では、完成した壁体前面に貼着固定されるコンクリート製パネル材として、前面側に凸条、凹陥部又は段差が設けられており、壁体前面に貼着固定した際には前記凸条等の端部が隣接するパネル間で連続し、略上下方向に連続する緩斜面をなす誘導路が形成されるパネル材とした。ここにいう誘導路の意義や、誘導路の表面に様々な滑り止め加工を採用しうる点は、先の誘導路形成用ブロックと同様である。
【００２４】
一方、現場打設によりコンクリート製壁体を構築する場合の型枠としては、コンクリート打設面側に凸条、凹陥部又は段差が設けられており、壁体が完成した際には壁体前面において前記凸条等が略上下方向に連続する緩斜面をなす誘導路が転写形成されるものを用いる。この場合においても、型枠を取り外した後の完成したコンクリート製壁体の前面に形成された脱出用誘導路によって小動物の移動が確保されることになる。型枠は、誘導路の転写形成用の凸条等を含めた専用型枠としてもよいし、従来の合板製又は金属製の型枠のコンクリート打設面に対して装着使用する発泡スチロール製等の軽量転写型枠としてもよい。
【００２５】
また、いわゆる捨て型枠と呼ばれる型枠として、コンクリート打設面側に背筋を備える一方、前面側に凸条、凹陥部又は段差が設けられており、壁体が完成した際には壁体前面において前記凸条等が略上下方向に連続する緩斜面をなす誘導路として形成されるものも用いられる。こうした捨て型枠では、足場を必要とせず、複数個を積み上げながら据え付けした後にコンクリートを打設すると、型枠を化粧面としつつ背筋により打設コンクリートと一体化した構造物が得られる利点があり、完成した擁壁等の前面に形成される脱出用誘導路によって小動物の移動が確保されることになる。
【発明の効果】
【００２６】
以上のように、本発明に係る誘導路形成用ブロックは、複数個を用いて布積みや谷積みの段積みをして壁体を形成する際に有用であり、壁体を高く形成した場合にも、誘導路（斜路）を略連続させた状態に形成できる。こうした斜路は、カエル、イモリ等の両生類やホタルの幼虫等の昆虫類であっても、斜路を伝って水中から陸上へ、あるいはその逆方向に移動することを可能とする。また、高い壁面の存在にもかかわらず、小動物は斜路を伝って移動することが可能になる結果、擁壁等の設置工事により従来の獣道など小動物の移動路が分断されてしまった場合においても、新たな移動路の確保が図られるので、生息環境への悪影響を防止することができる。
【００２７】
また、誘導路が平坦部両側に斜め下方から上昇又は、平坦部両側から斜め上方に上昇するよう設けた誘導路形成用ブロックを用いると、壁体の斜面に複雑な誘導路を形成することができる。
【００２８】
さらに、ブロック前面上部の天面部分を下降緩斜面とした誘導路形成用ブロックでは、複数個を多段積みに、とくに下段に位置するブロックより上段に位置するブロックを背面方向にずらして階段状に配置すると、壁面として高く形成した場合においても、壁面を上下方向に連続し、小動物の移動を容易にする斜路を形成することができる。
【００２９】
こうした誘導路形成用ブロックは、植生にも配慮がなされており、空洞部に胴込めされた砕石や土砂部分からブロックの開口を経て植物が繁茂し、生物のすみかが確保される多自然型の壁面の形成が容易であるし、水際部に生息する生物においては、河川等の水位変動にかかわらず常に水際部が確保されるので、安定した生態系の保全が図られる。
【００３０】
そして、本発明に係る誘導路を備えた壁体構築用パネル材を用いれば、既設擁壁や護岸のような壁体の前面部分に貼着固定することにより、当該現場における小動物の生息状況に適合するような形状や経路にて、壁体前面を上下方向に連続し、小動物の移動を可能にする誘導路を新設することができる。壁体設置によって獣道など小動物の移動路が分断されてしまった場合においても、壁体前面に貼着固定するだけで構造に大きな改造を加えることなく新たな移動路を確保でき、生息環境の再生を図ることができる。
【００３１】
また、また、本発明に係る誘導路を備えた壁体構築用型枠を用いれば、現場打設により新設されるコンクリート壁体構築時において型枠（場合によっては捨て型枠）の一部又は全部に対して使用するだけで、当該現場における小動物の生息状況に適合するような形状や経路にて、壁体前面を上下方向に連続し、小動物の移動を可能にする誘導路を併設することができる。
【発明を実施するための最良の形態】
【００３２】
第１図は本発明に係る誘導路形成用ブロックにより構築された擁壁の一例を示した斜視図であり、第２図は同ブロックの平面図、第３図は同ブロックの正面図、第４図は同ブロックの側面図である。第５図は本発明に係る誘導路形成用ブロックにより構築された擁壁の他の例を示した斜視図であり、第６図は同ブロックの斜視図である。第７図は本発明に係る誘導路形成用ブロックのさらに他の例を示した斜視図である。第８図は別なブロックを用いて構築された擁壁の例を示した斜視図であり、第９図は同擁壁を構成するブロックの一つを示した斜視図、第１０図は同擁壁を構成する他のブロックを示した斜視図である。第１１図は２種類の間知ブロックで誘導路を形成した例を示す擁壁の正面図であり、第１２図は同擁壁に用いたブロックの一つの正面図、第１３図は同ブロックの側面図、第１４図は同ブロックの底面図である。第１５図は第１１図の擁壁に用いたブロックの他の一つの正面図、第１６図は同ブロックの側面図である。第１７図はカエル等の両生類が誘導路を移動している様子を示す同擁壁の要部斜視図である。第１８図は本発明に係る誘導路形成用ブロックのさらに他の例を示した側面図である。第１９図は凸条を端部がブロックの両端縁に達しない程度に形成して誘導路を形成するようにした例の擁壁の正面図であり、第２０図は同擁壁に用いた誘導路形成用ブロックの平面図、第２１図は同ブロックの側面図、第２２図は同擁壁においてカエルが誘導路を移動している様子を示す要部斜視図である。第２３図はブロックの前面に誘導路を形成した他の例の斜視図である。第２４図はブロックの前面に誘導路を形成したさらに他の例の斜視図である。第２５図は本発明に係る誘導路形成用ブロックの他の一例を示す正面図、第２６図は同ブロックの平面図、第２７図は同ブロックの右側面図、第２８図は同ブロックのＸ−Ｘ断面図、第２９図は同ブロックの施工図である。第３０図は本発明に係る誘導路形成用ブロックのさらに他の例を示す平面側斜視図、第３１図は同ブロックの底面側斜視図、第３２図は同ブロックの施工図である。第３３図は本発明に係る誘導路形成用ブロックの他の例を示す斜視図であり、第３４図は同ブロックを多段に積み重ねた施工状態の一例を示す斜視図、第３５図は同ブロックを多段に積み重ねた他の施工状態を示す斜視図である。第３６図は本発明に係る誘導路形成用ブロックの更に他の例を示した正面図（ａ）及び右側面図（ｂ）であり、第３７図は同ブロックを多段に積み重ねた施工例を示す斜視図である。第３８図は先の第３６図に示したブロックにおける連結部として他の態様を採用した例の正面図（ａ）、右側面図（ｂ）及びＸ−Ｘ断面図であり、第３９図は同ブロックの施工状態を示す斜視図である。第４０図はさらに他の例のブロックを用いて施工した状態を示す斜視図である。第４１図は本発明に係るパネル材の一例を示した斜視図であり、第４２図は同パネル材を既設壁体前面に貼着固定した例の斜視図である。第４３図は本発明に係るパネル材の他の例を示した斜視図であり、第４４図は同パネル材を既設壁体前面に貼着固定した例の斜視図である。第４５図は多数個の空洞部を設けたパネル本体の例を示した斜視図である。本発明をより詳細に説述するために、添付の図面にしたがって説明する。
【００３３】
第１図ないし第４図に示された誘導路形成用ブロックでは、ボックス型をした本体のブロック前面（化粧面）において略Ｘ字状をなすように連続する誘導路１ａ，１ｂが配設されている。ブロック前面中ほどには第１平坦部２が設けられており、この第１平坦部２を中心として下方に形成された凸部３と上方に形成された凹部４によって、誘導路１ａ，１ｂが立体的に形成されることになる。すなわち、ブロックの最下縁両側から第１平坦部２に向けて合流するように斜め上方に上昇した誘導路１ａ，１ａは、第１平坦部２を経て、ブロックの最上縁両側へと分岐して斜め上方に上昇する誘導路１ｂ，１ｂとなり、連続した誘導路１ａ，１ｂを形成する。
【００３４】
ブロック前面における凸部３は、ブロック前面の最下縁よりもその横幅を短く、小幅に設けられており、第１図にみられるように、この誘導路形成用ブロックを多段に積んで壁体を構成したときには、上段ブロックと下段ブロックとの間に生物の通路となる第２平坦部５を形成するようになっている。この第２平坦部５も、誘導路（斜路）の一部を構成することになる。
【００３５】
第５図及び第６図に示された例の誘導路形成用ブロックでは、ブロック前面最上縁の中央部分に第１平坦部２が設けられている。誘導路１ｂ，１ｂは、この第１平坦部２より左右に分岐して斜めに降下するよう延設された後、ブロック両縁に設けられた第２平坦部５，５に達している。この第２平坦部５，５からさらにブロック最下縁の中央付近に向けて斜めに降下する誘導路１ａ，１ａが延設されている。そして、この誘導路形成用ブロックを多段に積んだときには、上段ブロックの誘導路１ａ，１ａが下段ブロックの第１平坦部２と連続するようになっている。
【００３６】
この例の誘導路形成用ブロックでは、ボックス型をした本体の控側空間との間において、上下のブロックを積んだときにブロック内外で連通孔ができるように、前壁に凹部７，７が配設されると共に、生物にすみかを提供する横孔８が穿設されている。横孔８は、窪みとして形成することもできるし、ボックス型本体の内部空間に連通する透孔として形成することもできる。
【００３７】
第７図は他の例の誘導路形成用ブロックを示す斜視図であるが、このブロックの基本形状は先の第１図ないし第４図に示されたものに近い。誘導路１ａ，１ａは、ブロック最下縁両端から斜めに上昇してブロック中央に位置する第１平坦部２で合流し、次いで第１平坦部２から分岐した誘導路１ｂ，１ｂがブロック最上縁両端にまで斜めに上昇するよう延設されている。すなわち、誘導路１ａ，１ｂは、第１平坦部２を介して正面視略Ｘ字状に連続形成されているのである。
【００３８】
誘導路１ａ，１ｂ及び第１平坦部２には滑止めの凹凸９が形成されており、また、当該誘導路１ａ，１ｂに沿って、土砂の堆積又は充填によって植物の繁茂を可能にする植生機能を奏する溝１０が形成されている。さらに、上下のブロックを積んだときにブロック内外で連通孔ができるように、前壁には凹部７が設けられている。そして、ボックス型ブロックの背面板１１には、背部からの通水を可能にする通水孔１２が穿設されており、また、側板１３と梁１４には、隣接するブロックとの連通孔１５が穿設されている。更にブロックの上下方向には配筋孔１６が設けられている。
【００３９】
完成した擁壁面に形成される誘導路が隣接するブロック間で連続するように、個々のブロック表面に単路として設け、複数個のブロックの段積みにより連続した状態を形成するように構成してもよい。そのように形成した誘導路形成用ブロックの例を第８図以下に示す。第８図ないし第１０図はその一例であって、第９図に示される誘導路形成用ブロックでは、ブロック前面において左下方から右上方へ斜めに設けられた単誘導路１と、その上部に設けられた平坦部１７が見られる。また、第１０図に示される誘導路形成用ブロックでは、第９図の例のブロックと対称をなすように、単誘導路１が右下方から左上方へと斜めに設けられている。各ブロックにおける平坦部１７は、上段ブロックを段積みすることにより、単誘導路１と連続した状態になる。
【００４０】
第１１図以下には、谷積みされる間知ブロックで誘導路を形成した例が示されている。この間知ブロック本体は、第１３図や第１４図に示されるように、前面板１８と控部１９とからなる構造である。前面板１８も控部１９も、貫通孔を設けたり、空洞にすることができる。こうした間知ブロック本体の前面へ凸条を形成することによって、谷積みにより誘導路を形成するようにしている。図示された例では、上段ブロックと下段ブロックに各々凸条が異なる方向に設けられた２種類のブロックを用い、これらを適宜用いて谷積みにより連続した誘導路を形成するようにしている。第１２図ないし第１４図はそのうちの一方のブロックを示したもので、このブロックでは、前面板１８の長手方向と直角に凸条２０ａを形成している。また、第１５図及び第１６図は、もう一方の間知ブロックを示しており、前面板１８の長手方向の中央に凸条２０ｂを形成している。いずれのブロックにおいても、凸条２０ａ，２０ｂの両端部は傾斜リブによって補強されている。カエル等の両生類が誘導路を移動している様子を第１７図に示す。凸条２０ａ，２０ｂの補強リブは、小動物の移動を容易にするために、第１８図のように小断面積に形成してもよい。
【００４１】
誘導路はまた、多少間欠的に設けてもよい。第１９図ないし第２２図にその一例を示す。これらの例では、凸条２１をブロックの長手方向中央に、その端部がブロックの両端縁に達しない程度に形成している。カエルが誘導路を移動している様子を第２２図に示す。図示されるように、凸条２１を形成する斜面は凹凸の滑止め面２３として形成されている。また、植物の繁茂を可能にするために、凸条２１や前記斜面の適所に植栽孔２２が形成されている。
【００４２】
ブロックの前面に略連続した誘導路を形成した他の実施例を第２３図及び第２４図に示す。斜路と平坦部とからなる略連続した誘導路１の形成は、下部が上部よりも控側となっている複数の凸部の規則的な繰返しによる。これらを第２４図のように擬石状態で形成すると、より景観上好ましいものとなる。
【００４３】
第２５図は本発明に係る誘導路形成用ブロックの他の一例を示す正面図であり、第２６図は同ブロックの平面図、第２７図は同ブロックの右側面図、第２８図は同ブロックのＸ−Ｘ断面図、第２９図は同ブロックの施工図である。これらに図示された例の誘導路形成用ブロックは、ブロック前面Ｒ１（化粧面）が左右方向に長く扁平な略六角形状をしたものであり、ブロック前面Ｒ１上部の天面部分が下降緩斜面Ｒ１１として形成されている。すなわち、パネル状をしたブロック前面Ｒ１の厚みを利用して下降緩斜面Ｒ１１を確保したものであり、より具体的には、ブロックの最上面部分を平坦なステージ部Ｒ１２とし、当該ステージ部Ｒ１２を中央にして左右方向にそれぞれ下降緩斜面Ｒ１１，Ｒ１１が連設された形態をしている。これら左右の緩斜面Ｒ１１，Ｒ１１の表面や、ステージ部Ｒ１２の表面は、凹凸状又は粗面状に形成しておくのが望ましい。
【００４４】
ブロック前面Ｒ１の表面側（化粧面側）は、護岸設置の際の景観に配慮して、自然石を模した擬石模様の凹凸が形成されており、中央部分と、左右に各１個ずつ、擬石模様を損なわないように不定形状をした開口Ｒ１３ａ，Ｒ１３ｂ，Ｒ１３ｃが穿設されている。これら開口Ｒ１３ａ，Ｒ１３ｂ，Ｒ１３ｃは、いずれもブロック背面控部Ｒ２との間における各空洞部Ｒ３ａ，Ｒ３ｂ，Ｒ３ｃと連通している。第２８図に示されるように、３つの空洞部のうち、左右の空洞部Ｒ３ｂ，Ｒ３ｃには底板がなく上部から底部までが貫通して透水性が確保されているが、中央の空洞部Ｒ３ａには底板Ｒ５があって、その中央に穿設された断面すり鉢状をした水抜き用の小透孔Ｒ３１によって透水性が確保されている。中央の空洞部Ｒ３ａに底板Ｒ５を設けたのは、後述するように複数個のブロックを多段積みする際の安定性確保を図りつつ、ブロック自体の強度も確保するためである。
【００４５】
本例の誘導路形成用ブロックでは、ブロック前面Ｒ１が略垂直面をなすよう構成されているので、多段に積む際には、第２９図に示されるように、下段に位置するブロックよりも上段に位置するブロックを背面方向にずらしながら、階段状に設置される。各ブロックの左右端にあってブロック前面Ｒ１とブロック背面控部Ｒ２とを連結するリブＲ４，Ｒ４の上面には連結部となる凹部Ｒ４１，Ｒ４１が設けられており、段積みにした各ブロックに隣接している上段側のブロック前面Ｒ１の底面部分が嵌合することによって、両ブロックのズレ止めが図られることになる。こうして順次ブロックを積み上げることにより形成された擁壁や護岸の前壁面には、複数個のブロックに亘って上下方向斜めに、あるいはつづら折りに、下降緩斜面Ｒ１１とステージ部Ｒ１２が交互に連続した斜路が形成される。
【００４６】
ブロックの空洞部Ｒ３ａ，Ｒ３ｂ，Ｒ３ｃには砕石や土砂が胴込めされるが、形成される擁壁等の傾斜角度によっては、上段側のブロックが下段側のブロックより一層背面側に控えるように配置されることになり、露出したブロック空洞部Ｒ３ａ，Ｒ３ｂ，Ｒ３ｃの上面部分からより効果的な植生が図られることになる。ブロック前面Ｒ１の開口Ｒ１３ａ，Ｒ１３ｂ，Ｒ１３ｃは、斜路を移動する小動物のすみかとなったり、水中に没した部分では魚巣ともなり得る。
【００４７】
第３０図は本発明に係る誘導路形成用ブロックの他の例を示す斜視図であり、第３１図は同ブロックを上下反転して見た状態の斜視図である。この例のブロックは、ブロック前面Ｓ１が二等辺三角形状をしており、傾斜した二つの等辺においてブロック前面側に位置した天面部分が下降緩斜面Ｓ１１，Ｓ１１をなすものである。同一形状からなるブロック前面Ｓ１とブロック背面控部Ｓ２とは３本のリブＳ４，Ｓ４，Ｓ４によって連結されており、これらブロック前面Ｓ１とブロック背面控部Ｓ２との間が空洞部Ｓ３とされ、各リブＳ４，Ｓ４，Ｓ４間の開口が空洞部Ｓ３と連通している。図示されてはいないが、先の例のブロックと同様に、ブロック前面Ｓ１には自然石を模した凹凸模様を施してもよいし、空洞部Ｓ３に連通する開口を設けてもよい。
【００４８】
第３２図は、第３０図及び第３１図の例のブロックを多段に積み重ねた状態を示した施工図である。本例のブロックでは、交互に上下方向を逆にしながら横に並べられて１段目が形成され、その上段にも同様にして交互に上下方向を逆にしながら横に並べられて２段目が形成され、これが繰り返されることにより多段に積み上げられた擁壁等が完成する。１段目より２段目を背面側に控えるようにずらして階段状に積み上げる点は先の第２９図の施工例と同様であるが、本例では、図示されるように、さらに同じ段にあって二つの等辺が下向きになるよう配置されたブロックを背面側に控えるようにずらすことによって、二つの等辺が上向きになるよう配置されたブロックの下降緩斜面Ｓ１１，Ｓ１１が露出するようにしている。
【００４９】
その結果、二つの等辺が下向きになるよう配置されたブロックでは、ブロック前面Ｓ１の底辺部分が平坦なステージ部Ｓ１２となり、このステージ部Ｓ１２を介しながら、下降緩斜面Ｓ１１が上下方向斜めに、あるいはつづら折りに連続した斜路が形成されることになる。図中、格子状模様を表示した部分は砕石や土砂等が胴込めされた空洞部Ｓ３であるから、ステージ部Ｓ１２より背面側に位置するこれら空洞部Ｓ３の土砂等が露出するようにブロックをずらして積み上げることにより、露出した土砂等から植生が図られる。
【００５０】
第３３図は、本発明に係る誘導路形成用ブロックの更に他の例を示す斜視図である。本例のブロックでは、正面視横長方形をしたブロック前面Ｔ１と、同形状をしたブロック背面控部Ｔ２とのほぼ中間位置において、正面視略山形をした突起部Ｔ５が設けられている。突起部Ｔ５には相当程度の厚みが確保されており、この厚みを利用して、突起部Ｔ５の頂部天面部分をステージ部Ｔ１２としつつ、このステージ部Ｔ１２からブロック左右端へと続く斜面を下降緩斜面Ｔ１１，Ｔ１１としている。このようにブロック前面Ｔ１から背面側に控えた位置において上方に立設された突起部Ｔ５とブロック前面Ｔ１との間、そして当該突起部Ｔ５とブロック背面控部Ｔ２との間は、それぞれ中央のリブＴ４で２つに分割され、上下に連通した空洞部Ｔ３ａ，Ｔ３ｂとされている。
【００５１】
第３４図は、先の第３３図に示した例のブロックを多段に積み重ねた施工状態の一例を示す斜視図である。この施工例では、下段に位置するブロックにおける突起部Ｔ５の背面側、つまり背面控部Ｔ２の上に次のブロックを載置することによって、階段状の擁壁面を形成している。図示されるように、突起部Ｔ５の頂部に設けられたステージ部Ｔ１２の高さは、ブロック前面Ｔ１の高さの丁度２倍に設定されているので、多段に布積みされた施工状態においては下段側ブロックのステージ部Ｔ１２と上段側ブロックにおけるブロック前面Ｔ１の天面部分が連続し、その結果、下段に位置したブロックにおけるブロック前面Ｔ１の天面部分から下降緩斜面Ｔ１１を経てステージ部Ｔ１２を通り、上段のブロックにおけるブロック前面Ｔ１の天面部分へと連続する斜路が形成されるのである。なお、本例のブロックでも図中格子状模様で示された空洞部Ｔ３ａ，Ｔ３ｂには砕石や土砂が胴込されて植生が図られることになる。
【００５２】
第３５図は、先の第３３図に示した例のブロックを多段に積み重ねた他の施工状態を示す斜視図である。先の施工例では、多段に積み上げるブロックは上下段で同じ位置にあるようにしていたが、本施工例では、１段毎にブロックの位置を左右方向にずらして積み上げつつ、下段に位置するブロックより上段に位置するブロックを背面方向にずらしながら階段状に配置している。その結果、下段に位置するブロックの下降緩斜面Ｔ１１を経てステージ部Ｔ１２に至り、上段に位置するブロックにおけるブロック前面Ｔ１の天面部分を経て下降緩斜面Ｔ１１へと至る距離が先の施工例の場合に比して短くなるので、完成した擁壁面においては１段目のブロックにおける下降緩斜面Ｔ１１から次の段のブロックにおける下降緩斜面Ｔ１１に辿り着きやすく、上下方向に移動する小動物の動きがよりスムーズになると考えられる。
【００５３】
第３６図は、本発明に係る誘導路形成用ブロックの更に他の例を示した正面図（ａ）及び右側面図（ｂ）である。本例のブロックでも、正面視略横長六角形状をしたブロック前面Ｕ１の上部天面部分において平坦なステージ部Ｕ１２を中央にして左右方向にそれぞれ下降緩斜面Ｕ１１，Ｕ１１が設けられているが、これら下降緩斜面Ｕ１１，Ｕ１１を備えたブロック前面Ｕ１の上部が、下降緩斜面を有しないブロック前面Ｕ１下部よりも前面方向に突出形成されている点において、先の例のブロックと相違している。また、ブロック前面Ｕ１とブロック背面控部Ｕ２との間に空洞部はみられず、その代わりに、ブロックの天面側に凸となり、ブロックの底面側に凹となる連結部Ｕ４１が設けられている点においても、先の例のブロックと相違が見られる。
【００５４】
そして、従前説明してきた例のブロックと異なり、本例のブロックは、階段状に積み上げるのではなくて、垂直又は急勾配斜面に積むことにより擁壁面を形成する場合に用いられる。すなわち、第３７図は本例のブロックの施工状態を示す斜視図であり、図示されるように、ブロックの連結部Ｕ４１が上下方向に嵌合するよう連続して多段積みされる。各ブロック背面控部Ｕ２には設置斜面との間にアンカーＵ５が張設されており、このアンカーＵ５によってブロックを固定しつつ、各ブロックが多段に積み上げ施工された後に裏込め材が投入されることになる。積み上げられたブロックが擁壁として完成した状態においては、壁面から突出したブロック前面Ｕ１の上部における下降緩斜面Ｕ１１とステージ部Ｕ１２が連続し、完成した擁壁面において上下方向斜めに、あるいはつづら折り状の斜路が形成されるのである。
【００５５】
なお、本例のブロックを垂直方向に積む場合、下降緩斜面Ｕ１１とステージ部Ｕ１２が、いずれもやや斜め下方に傾斜してしまうので、それらの表面には凹凸状又は粗面状の滑り止めを施すのが望ましい。より効果的に小動物の滑落を防止するためには、下降緩斜面Ｕ１１とステージ部Ｕ１２部分を溝状にした凹面部として形成するとよい。
【００５６】
第３８図は、第３６図のブロックにおける連結部として他の態様を採用した例の正面図（ａ）、右側面図（ｂ）及びＸ−Ｘ断面図（ｃ）である。本例のブロックでは、連結部として嵌合溝Ｕ４２が採用されており、ブロックの背面側における上側部分と下側部分、そして左右部分において嵌合溝Ｕ４２が刻設されている。第３９図は同ブロックの施工状態を示す斜視図である。図示されるように、ブロックを多段に積む際には隣接するブロックの嵌合溝Ｕ４２に対して跨るように連結板Ｕ６を嵌入することによって、ブロック同士の連結固定が図られる。連結板Ｕ６の背面側からは設置斜面との間にアンカーＵ５が張設されており、このアンカーＵ５によって固定されながら各ブロックが積み上げ施工された後に裏込め材が投入されることになる。ブロック上側部分の嵌合溝Ｕ４２に見られる切り欠きＵ４３は、アンカーＵ５嵌入用として設けられたものである。
【００５７】
こうして多数個のブロックを段積み施工することにより形成された擁壁は、裏込め材が投入されて完成した際には、先の例と同様に、壁面から前方に突出したブロック前面Ｕ１の上部における下降緩斜面Ｕ１１とステージ部Ｕ１２が連続し、擁壁面全体において上下方向斜めに、あるいはつづら折り状に連続する斜路が形成されるのである。
【００５８】
第４０図は、さらに他の例のブロックを用いて施工した状態を示す斜視図である。本例のブロックも、正面視略横長六角形状をしたブロック前面Ｖ１の上部天面部分において平坦なステージ部Ｖ１２を中央にして左右方向にそれぞれ下降緩斜面Ｖ１１，Ｖ１１が設けられており、これら下降緩斜面Ｖ１１，Ｖ１１を備えたブロック前面Ｖ１の上部が、下降緩斜面を有しないブロック前面Ｖ１下部よりも前面方向に突出形成されている点は先の第３６図のブロック等と同じであるが、ブロック全体が背面控部方向に長く形成されており、かつ、上面と背面が開放した空洞部Ｖ３が設けられている点が相違している。図中に格子状模様で示されるように、空洞部Ｖ３の内部に砕石や土砂等が胴込めされながら複数個のブロックが多段に積み上げられると、空洞部Ｖ３の前端部分とともにステージ部Ｖ１２や下降緩斜面Ｖ１１，Ｖ１１が壁面から前方に突出し、これらステージ部Ｖ１２や下降緩斜面Ｖ１１，Ｖ１１が連続することにより、擁壁面全体において上下方向斜めに、あるいはつづら折り状に連続する斜路が形成されるのである。
【００５９】
第４１図は本発明に係るパネル材の一例を示した斜視図である。図示された例のパネル材は、横長長方形をしたパネル本体Ｐ１Ａの前面において、長辺方向中央に一本の凸条Ｐ２が立設されたものである。また、凸条Ｐ２の左右端には、当該凸条Ｐ２を保持するように傾斜リブＰ３，Ｐ３が延設されており、これら凸条Ｐ２と両端の傾斜リブＰ３，Ｐ３の間部分が凹陥部Ｐ４となっている。一方、パネル本体Ｐ１Ａの背面は、通常は突起のない平坦面として形成されるが、パネル材の重量を軽減するべく周辺部を残して陥没した形状としてもよい。
【００６０】
こうしたパネル材を既設の壁体前面に貼着固定した例を第４２図に示す。既設の壁体前面Ｗは平滑面であるか粗面であるかを問わないし、傾斜角度についてもさほど問題にならない。要は、パネル材を貼着固定することが可能な壁体であればよいのであって、接着剤やアンカーなど各種固定手段を適宜選択使用することにより貼着固定される。図示された例では、先の第４０図のパネル材と、同パネル材よりやや短いパネル材とを組み合わせながら、複数個のパネル材を既設壁体前面Ｗの下端付近から上端まで三段にグループ分けしながら連続固定している。当然ながら、グループ分けすることなく、完全な直線として連続固定してもよい。また、本例では既設壁体として河川の擁壁面を想定しており、水面位置を考慮して既設壁体前面Ｗの下端より若干控えた位置からパネル材を貼着しているが、既設壁体前面Ｗの最下端を起点としてもよいことは言うまでもない。
【００６１】
図示されるように、斜めに連続して貼着されたパネル材によって、隣接するパネル材との間に傾斜リブＰ３，Ｐ３を介しながら、各パネル材における凸条Ｐ２の端部同士が連続して、既設壁体前面Ｗにおいて上下方向に連続する傾斜面をなす誘導路が形成されている。傾斜リブＰ３，Ｐ３に挟まれて凸条Ｐ２の上側に位置する凹陥部Ｐ４は、誘導路を移動する小動物の休息場所となるし、土砂等が吹きだまると雑草等の植生も図られる。
【００６２】
第４３図は、本発明に係るパネル材の他の例を示した斜視図である。先の第４１図の例のパネル材に比してより複雑な形状をしているが、やはり略横長方形状をしたパネル本体Ｐ１Ｂの前面側において、上端中央に設けられた平坦なステージ部Ｐ８を介して左右方向下方に傾斜した第１の段差Ｐ５，Ｐ５と、両端から各々折り返して下端中央に至る下方傾斜した第２の段差Ｐ６，Ｐ６とが設けられている。そして、第１の段差Ｐ５，Ｐ５と第２の段差Ｐ６，Ｐ６との間には横長三角形状をした透孔Ｐ７，Ｐ７が穿設されている。これら透孔Ｐ７，Ｐ７は、ときに小動物のすみかともなるものである。
【００６３】
こうしたパネル材を既設壁体前面に貼着固定した例を第４４図に示す。図示されるように、パネル本体Ｐ１Ｂは上下方向に積み重ねるように貼着固定されており、さらに２個程度を上段側に貼着固定することによって、既設壁体前面Ｗの下端から上端に至るまで連続する緩斜面をなす誘導路が形成される。
【００６４】
すなわち、最下段に位置するパネル本体Ｐ１Ｂにおける第２の段差Ｐ６，Ｐ６を始点とする誘導路は第１の段差Ｐ５，Ｐ５へと続いて、各パネル本体Ｐ１Ｂのステージ部Ｐ８を介しつつ、上段に位置するパネル本体Ｐ１Ｂにおける第２の段差Ｐ６，Ｐ６へと続き、つづら折れ（ジグザグ）になって最上段に位置するパネル本体Ｐ１Ｂへと連続するのである。
【００６５】
なお、第４４図において右側に貼着固定されているパネル本体Ｐ１Ｃは、左側に貼着固定された先のパネル本体Ｐ１Ｂの前面側全体に擬石のような凹凸模様を施したものである。このように前面側全体に凹凸模様が施された結果、完成した誘導路の表面も凹凸状又は粗面状に形成されるので、誘導路を移動する小動物の滑落防止が図られるのである。
【００６６】
こうしたパネル材には、１ないし複数個の空洞部を設けることにより、既設壁体前面に貼着固定した際には豊かな植生を実現することができる。第４５図は多数個の空洞部を設けたパネル本体の例を示した斜視図であり、先のパネル本体Ｐ１ＢやＰ１Ｃを基本形状としつつ第１の段差Ｐ５，Ｐ５や第２の段差Ｐ６，Ｐ６、そしてステージ部Ｐ８と背面板Ｐ１０との間に複数個の空洞部Ｐ９を設けた例を示している。本例のパネル本体Ｐ１Ｄにおいても、先の例のパネル本体Ｐ１Ｂ，Ｐ１Ｃと同様に第１の段差Ｐ５，Ｐ５や第２の段差Ｐ６，Ｐ６及びステージ部Ｐ８はそれぞれ小動物の誘導路となるものであるが、空洞部Ｐ９に土砂や砕石が胴込めされることにより、根付いた植物が小動物の隠れ場所としても機能するし、パネル本体Ｐ１Ｄが水没部分に貼着固定された場合においては砕石等の隙間が魚類のすみかにもなる。
【００６７】
以上説明したパネル材は既設の壁体前面に対して貼着固定することにより使用されるものであるが、現場にてコンクリート打設によって新たに壁体の構築施工を図る場合には、コンクリート打設面側に凸条、凹陥部又は段差が設けられている型枠を用いる。例えば、第４１図のパネル材に対応する個別転写型枠を形成し、これを新設しようとする壁体前面構築用に設置される型枠に対して適宜位置に配設固定すると、コンクリートを打設して壁体が完成した際には、第４２図に示されるような、壁体前面において凸条等が略上下方向に連続する緩斜面をなす誘導路が転写形成されることになる。
【００６８】
また、第４３図のパネル材に対応する個別転写型枠を形成し、やはり新設する壁体前面構築用として設置される型枠に対して適宜配設固定しておくと、コンクリートを打設して壁体が完成した際には、第４４図に示されるような、壁体前面において凸条等が略上下方向に連続する緩斜面をなす誘導路が転写形成されることになるわけである。とくに、転写面における誘導路形成部分を凹凸状又は粗面状に形成しておくと、完成した壁体前面も第４４図の右側に示されるようになり、移動する小動物の滑落防止が図られる。
【００６９】
なお、型枠としては、コンクリート打設面側となる転写面側に凸条、凹陥部又は段差を立体的に彫刻したものであれば、発泡ポリスチレンなどの合成樹脂発泡体を鋼製又は木製のパネルに貼着固定したような、従来用いられている一般的なものが利用しうる。
【００７０】
一方、現場におけるコンクリート打設によって新たに壁体の構築施工を図る場合であって、型枠をそのまま構造物の化粧面とする捨て型枠として用いる場合には、第４３図に例示されるようなパネル材の背面側、つまりコンクリート打設面側に背筋を突設させたものを型枠とする。背筋としては、従来の捨て型枠に使用されている鋼製のＬ型脚やアンカーのほか、金属製や繊維製のネット等も好適に用いられる。あるいは、積み上げた型枠の裏面側をアングル材等で連結施工してもよい。いずれにしても、背面側に打設されたコンクリートによって一体化した擁壁等が構築され、完成した擁壁等の前面側には、第４４図に示されるような、壁体前面において凸条等が略上下方向に連続する緩斜面をなす誘導路が形成されることになるわけである。前述のパネル材の場合と同様に、誘導路形成部分を凹凸状又は粗面状に形成しておくと、完成した壁体前面も第４４図の右側に示されるようになり、移動する小動物の滑落防止が図られる。
【図面の簡単な説明】
【００７１】
【図１】本発明に係る誘導路形成用ブロックにより構築された擁壁の一例を示した斜視図である。
【図２】同ブロックの平面図である。
【図３】同ブロックの正面図である。
【図４】同ブロックの側面図である。
【図５】本発明に係る誘導路形成用ブロックにより構築された擁壁の他の例を示した斜視図である。
【図６】同ブロックの斜視図である。
【図７】本発明に係る誘導路形成用ブロックのさらに他の例を示した斜視図である。
【図８】別なブロックを用いて構築された擁壁の例を示した斜視図である。
【図９】同擁壁を構成するブロックの一つを示した斜視図である。
【図１０】同擁壁を構成する他のブロックを示した斜視図である。
【図１１】２種類の間知ブロックで誘導路を形成した例を示す擁壁の正面図である。
【図１２】同擁壁に用いたブロックの一つの正面図である。
【図１３】同ブロックの側面図である。
【図１４】同ブロックの底面図である。
【図１５】第１１図の擁壁に用いたブロックの他の一つの正面図である。
【図１６】同ブロックの側面図である。
【図１７】カエル等の両生類が誘導路を移動している様子を示す同擁壁の要部斜視図である。
【図１８】本発明に係る誘導路形成用ブロックのさらに他の例を示した側面図である。
【図１９】凸条を端部がブロックの両端縁に達しない程度に形成して誘導路を形成するようにした例の擁壁の正面図である。
【図２０】同擁壁に用いた誘導路形成用ブロックの平面図である。
【図２１】同ブロックの側面図である。
【図２２】同擁壁においてカエルが誘導路を移動している様子を示す要部斜視図である。
【図２３】ブロックの前面に誘導路を形成した他の例の斜視図である。
【図２４】ブロックの前面に誘導路を形成したさらに他の例の斜視図である。
【図２５】本発明に係る誘導路形成用ブロックの他の一例を示す正面図である。
【図２６】同ブロックの平面図である。
【図２７】同ブロックの右側面図である。
【図２８】同ブロックのＸ−Ｘ断面図である。
【図２９】同ブロックの施工図である。
【図３０】本発明に係る誘導路形成用ブロックのさらに他の例を示す平面側斜視図である。
【図３１】同ブロックの底面側斜視図である。
【図３２】同ブロックの施工図である。
【図３３】本発明に係る誘導路形成用ブロックの他の例を示す斜視図である。
【図３４】同ブロックを多段に積み重ねた施工状態の一例を示す斜視図である。
【図３５】同ブロックを多段に積み重ねた他の施工状態を示す斜視図である。
【図３６】本発明に係る誘導路形成用ブロックの更に他の例を示した正面図（ａ）及び右側面図（ｂ）である。
【図３７】同ブロックを多段に積み重ねた施工例を示す斜視図である。
【図３８】先の第３６図に示したブロックにおける連結部として他の態様を採用した例の正面図（ａ）、右側面図（ｂ）及びＸ−Ｘ断面図である。
【図３９】同ブロックの施工状態を示す斜視図である。
【図４０】さらに他の例のブロックを用いて施工した状態を示す斜視図である。
【図４１】本発明に係るパネル材の一例を示した斜視図である。
【図４２】同パネル材を既設壁体前面に貼着固定した例の斜視図である。
【図４３】本発明に係るパネル材の他の例を示した斜視図である。
【図４４】同パネル材を既設壁体前面に貼着固定した例の斜視図である。
【図４５】多数個の空洞部を設けたパネル本体の例を示した斜視図である。
【符号の説明】
【００７２】
１  単誘導路
１ａ，１ｂ  誘導路
２  第１平坦部
３  凸部
４  凹部
５  第２平坦部
６
７  凹部
８  横孔
９  凹凸
１０  溝
１１  背面板
１２  通水孔
１３  側板
１４  梁
１５  連通孔
１６  配筋孔
１７  平坦部
１８  前面板
１９  控部
２０ａ，２０ｂ  凸条
２１  凸条
２２  植栽孔
２３  滑止め面
Ｒ１  ブロック前面
Ｒ２  背面控部
Ｒ３ａ，Ｒ３ｂ，Ｒ３ｃ  各空洞部
Ｒ４  リブ
Ｒ５  底板
Ｒ１１  下降緩斜面
Ｒ１２  ステージ部
Ｒ１３ａ，Ｒ１３ｂ，Ｒ１３ｃ  開口
Ｒ１１  下降緩斜面
Ｒ１２  ステージ部
Ｒ３１  小透孔
Ｒ４１  凹部
Ｓ１  ブロック前面
Ｓ２  ブロック背面控部
Ｓ３  空洞部
Ｓ４  リブ
Ｓ１１  下降緩斜面
Ｓ１２  ステージ部
Ｔ１  ブロック前面
Ｔ２  ブロック背面控部
Ｔ３ａ，Ｔ３ｂ  空洞部
Ｔ４  リブ
Ｔ５  突起部
Ｔ１１  下降緩斜面
Ｔ１２  ステージ部
Ｕ１  ブロック前面
Ｕ２  ブロック背面控部
Ｕ５  アンカー
Ｕ６  連結板
Ｕ１１  下降緩斜面
Ｕ１２  ステージ部
Ｕ４１  連結部
Ｕ４２  嵌合溝
Ｖ１  ブロック前面
Ｖ３  空洞部
Ｖ１１  下降緩斜面
Ｖ１２  ステージ部
Ｐ１Ａ，Ｐ１Ｂ，Ｐ１Ｃ，Ｐ１Ｄ  パネル本体
Ｐ２  凸条
Ｐ３  傾斜リブ
Ｐ４  凹陥部
Ｐ５  第１の段差
Ｐ６  第２の段差
Ｐ７  透孔
Ｐ８  ステージ部
Ｐ９  空洞部
Ｗ  既設壁体前面
【図１】
2008101460.tif 000003
【図２】
2008101460.tif 000004
【図３】
2008101460.tif 000005
【図４】
2008101460.tif 000006
【図５】
2008101460.tif 000007
【図６】
2008101460.tif 000008
【図７】
2008101460.tif 000009
【図８】
2008101460.tif 000010
【図９】
2008101460.tif 000011
【図１０】
2008101460.tif 000012
【図１１】
2008101460.tif 000013
【図１２】
2008101460.tif 000014
【図１３】
2008101460.tif 000015
【図１４】
2008101460.tif 000016
【図１５】
2008101460.tif 000017
【図１６】
2008101460.tif 000018
【図１７】
2008101460.tif 000019
【図１８】
2008101460.tif 000020
【図１９】
2008101460.tif 000021
【図２０】
2008101460.tif 000022
【図２１】
2008101460.tif 000023
【図２２】
2008101460.tif 000024
【図２３】
2008101460.tif 000025
【図２４】
2008101460.tif 000026
【図２５】
2008101460.tif 000027
【図２６】
2008101460.tif 000028
【図２７】
2008101460.tif 000029
【図２８】
2008101460.tif 000030
【図２９】
2008101460.tif 000031
【図３０】
2008101460.tif 000032
【図３１】
2008101460.tif 000033
【図３２】
2008101460.tif 000034
【図３３】
2008101460.tif 000035
【図３４】
2008101460.tif 000036
【図３５】
2008101460.tif 000037
【図３６】
2008101460.tif 000038
【図３７】
2008101460.tif 000039
【図３８】
2008101460.tif 000040
【図３９】
2008101460.tif 000041
【図４０】
2008101460.tif 000042
【図４１】
2008101460.tif 000043
【図４２】
2008101460.tif 000044
【図４３】
2008101460.tif 000045
【図４４】
2008101460.tif 000046
【図４５】
2008101460.tif 000047
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
複数個のブロックの段積みにより連続した誘導路を形成する壁体形成用ブロックにおいて、前面六角形ブロックとして六角形の上辺を水平方向にした段積みにより壁体を形成して、上辺とその左右辺とにより上下方向の誘導路を連続させた状態に設ける形状であることを特徴とする誘導路形成用ブロック。
【請求項２】
前面六角形ブロックは、ブロック前面が水平方向に長く扁平な六角形状で、上辺を平坦なステージ部として中央に配し、その左右辺の下降緩斜面が、左右にそれぞれ連設された形状である請求項１記載の誘導路形成用ブロック。
【請求項３】
前面六角形ブロックは、ブロック前面が略垂直面であり、ブロック背面控部との間に空洞部を設けたボックス型で、誘導路はブロックを多段積みする際に下段に位置するブロックより上段に位置するブロックを背面方向にずらして階段状に配置して形成する請求項１又は２のいずれかに記載の誘導路形成用ブロック。
【請求項４】
前面六角形ブロックは、その前面上辺の上部天面部分において平坦なステージ部を中央にして左右辺方向にそれぞれ下降緩斜面が設けられており、下降緩斜面を備えたブロック前面の上辺が下降緩斜面を有しないブロック前面下辺よりも前面方向に突出形成されている請求項１記載の誘導路形成用ブロック。
【請求項５】
前面六角形ブロックは、その前面上辺の天面側に凸となり、前面下辺の底面側に凹となる突起とそれに対応する凹陥部からなる連結部が設けられている請求項４記載の誘導路形成用ブロック。
【請求項６】
前面六角形ブロックは、垂直方向に多段積みして下降緩斜面を備えたブロック前面上部を下降緩斜面のないブロック前面下部より前面方向に突出形成して誘導路を形成する請求項４記載の誘導路形成用ブロック。
【請求項７】
前面六角形ブロックは、ブロックの背面側における上側部分と下側部分、そして左右部分において連結部として嵌合溝が刻設されている請求項４記載の誘導路形成用ブロック。
【請求項８】
前面六角形ブロックは、ブロック全体が背面控部方向に長く形成され、かつ、上面と背面が開放した空洞部が設けられている請求項４記載の誘導路形成用ブロック。
【請求項９】
前面六角形ブロックの誘導路は、少なくともその下降緩斜面の表面が、凹凸状又は粗面状に形成されている請求項１又は４いずれかに記載の誘導路形成用ブロック。
【手続補正２】
【補正対象書類名】明細書
【補正対象項目名】全文
【補正方法】変更
【補正の内容】
【発明の詳細な説明】
【技術分野】
【０００１】
本発明は、擁壁や護岸等の壁体において緩斜面をなす通路を形成することにより、小動物の移動や生物の生息環境の再生を可能にする誘導路形成用ブロックと、完成した既設の壁体の前面に貼着固定して誘導路を形成するパネル材、及び壁体構築時に用いて壁体前面に誘導路を形成する型枠に関する。
【背景技術】
【０００２】
コンクリート構造物の壁面が小動物の移動の妨げになって、生息環境を破壊している状況を解消するべく、従来から様々な構造のブロックが提案されている。例えば、狭水路に転落した小動物の脱出誘導を図るために、Ｕ字形側溝の外側任意位置に対して部分的に連設することにより地表面までの誘導路として機能する傾斜壁を備えたブロック（特許文献１）、一般的な水路ブロックの一内壁面又は両内壁面に沿うように設置すると階段状又は粗面状の斜路が形成されるブロック（特許文献２）、水路桝ブロック本体に脱出用スロープを形成したもの（特許文献３）、Ｕ字形側溝において一体的に形成された外方膨出部の踊り場から脱出用斜面を形成したもの（特許文献４）等が例示される。
【０００３】
側溝や狭水路のように、幅が狭く地表面からさほど深くない通水路の場合には、前記ブロック側壁の一部に開口を設けて脱出誘導路を形成するブロックを連設したりして、連続的に設置するブロックの一部に誘導路を備えたブロックを組み入れることで対応することができる。しかしながら、こうした従来のブロックを小川や河川、海岸、道路等における側壁や擁壁等の壁体に対して設置することは殆どの場合不可能である。
【０００４】
すなわち、これら壁体は、多数個のブロックを布積みや谷積みする段積み施工によって高く形成されるのが一般的であるし、のみならず、ほぼ垂直に切り立った壁面として形成されることも多かった。また、壁体の前面部分が全体的に平滑な状態に仕上げられていたり、下段ブロックと上段ブロックとの間が完全に分断されていたりしたために、小動物が下から這い上がったり、逆に陸上から水辺へと移動することが極めて困難であった。
【０００５】
さらに、側溝や狭水路であれば、小動物が水と共に流される間に誘導路が連設された開口部分や誘導路の踊り場部分に辿り着くことも可能であるが、広範囲に施工されるのが通例である壁体の場合、壁体と未施工のまま残された切り通しや岸辺との境界部分のような、誘導路となりうる場所にまで小動物が辿り着くことは殆ど奇跡に近い。
【０００６】
さらにまた、新たに構築される壁体であればともかく、完成した既設の壁体において小動物の移動を可能にする手段はなかったし、施工現場において型枠を用いて直接コンクリートを打設する壁体構築方法に対応させる必要もある。
【０００７】
【特許文献１】特開平９−３２０９７号公報
【特許文献２】特開平９−２５０１２１号公報
【特許文献３】実公平６−２６５６９号公報
【特許文献４】実公平７−５４３８３号公報
【発明の開示】
【発明が解決しようとする課題】
【０００８】
そこで、本発明では、多数個のブロックを用いて段積みにより壁体を形成した場合に、小動物の脱出その他の移動を可能にする誘導路（以下、単に「斜路」ともいう）を略連続させた状態に形成できる誘導路形成用ブロックの提供を第１の目的とする。
【０００９】
また、本発明では、完成した既設の壁体前面に対して貼着固定することにより小動物の脱出誘導路（斜路）を略連続させた状態に形成できるパネル材の提供を第２の目的とし、さらに、壁体を新たに設置する際に用いれば簡易に誘導路を形成できる型枠の提供を第３の目的とする。
【００１０】
そして、誘導路の創出と同時に植生にも配慮して、多自然型の壁体面を形成することによって、生物の生息できる環境の再生を総合的に図ることを目的とする。
【課題を解決するための手段】
【００１１】
本発明に係る誘導路形成用ブロックでは、壁体の前面（化粧面）に複数個のブロックの段積みにより連続した誘導路を形成するべく、前面六角形ブロックとして六角形の上辺を水平方向にした段積みにより壁体を形成して、上辺とその左右辺とにより上下方向の誘導路を連続させた状態に設ける形状であることを特徴とする構造とした。特に、前面六角形ブロックは、ブロック前面が水平方向に長く扁平な六角形状で、上辺を平坦なステージ部として中央に配し、その左右辺の下降緩斜面が、左右にそれぞれ連設された形状である誘導路形成用ブロックが好ましい。
【００１２】
ここにいう誘導路とは、壁体を下方から上方へ、又はその逆方向に生物が移動できるように設けられた路をいい、必ずしも斜めに設けられた状態のみをいうのではなく、ブロック前面端部又は中ほどに誘導路に連なる略水平方向の平坦部（ステージ）を有するように途中が平坦になっていたり、湾曲しているものも含まれる。また、誘導路はブロック前面に垂直面として形成するのが好ましいが、傾斜面として形成してもよい。さらに、上段ブロックと下段ブロックで凸条が異なる方向に設けられたブロックを用い、誘導路を略連続させて形成するように段積みしてもよい。そして、本発明にいう壁体は、垂直積み擁壁であっても、斜積み擁壁、もたれ式擁壁等の擁壁であってもよく、いわゆる擁壁面のみならず小さな川の側壁面等も含むものである。
【００１３】
また、ここにいう隣接するとは、前面六角形状に縦横又は斜めに隣り合うことである。詳しくは、凸条、凹条、又は段差が上段ブロックと下段ブロックで異なる方向に設けられ、段積みにより誘導路を形成するようにした誘導路形成用ブロックとか、誘導路がブロック前面の端部又は中ほどに平坦部を有する誘導路形成用ブロック、すなわち、誘導路が平坦部両側に斜め下方から上昇、又は、平坦部両側から斜め上方に上昇するよう設けられた前面六角形状の誘導路形成用ブロックが好ましい。平坦部は生物に休息の場を提供するし、上昇又は下降する方向の変更や選択の機会を与える。水際部に生息する生物においては、誘導路が上下に連通することにより、水位の変動に関わりなく壁面上を自由に移動可能な斜路状の水際部が確保され、常に生態に適した生息環境が維持される。
【００１４】
このような誘導路形成用ブロックには、誘導路を形成した前面板の背部控側に空洞部を設けると共に、前記前面板に連通孔を設けると、壁体は石や土砂を充填することにより透水性を持ち、生物を乾燥から守ることもできる。また、植生の基盤としても有効に機能するため生物に生息空間を与える好ましい態様となる。すなわち、ブロック前面が略垂直面であり、ブロック背面控部との間に空洞部を設けたボックス型で、誘導路はブロックを多段積みする際に下段に位置するブロックより上段に位置するブロックを背面方向にずらして階段状に、前面六角形ブロックを配置して形成するのである。
【００１５】
上記誘導路には滑止めの凹凸を形成したり、誘導路又は誘導路近傍に植生機能を付与する溝又は穴を設けるとより好ましい多自然型の態様となる。更に、ブロックの化粧面に植生機能を付与する層を吹付けるとか一体成形することも好ましい。植生機能を付与する層としては多孔質コンクリートや木粉等の有機質、炭素質、その植生に好適な物資の固化体層である。
【００１６】
また、本発明に係る誘導路形成用ブロックでは、壁体を構成するブロックを、ブロック前面上部の天面部分が下降緩斜面として形成されており、複数個のブロックを多段積みした際には、前記下降緩斜面が複数個のブロックに亘って上下方向に連続する斜路となるように形成した。ここにいう斜路は、前記の誘導路と同意である。
【００１７】
ブロック前面上部の天面部分を下降緩斜面として形成可能であるならば個々の前面六角形ブロックの形状は問わないが、より具体的な形状としては、ブロック前面が水平方向に長く扁平な略六角形状をしており、下降緩斜面が、平坦なステージ部を中央に配して左右にそれぞれ連設されたものを採用しうる。また、ブロック前面より後方側に控えた位置において上方に立設された突起部の天面部分が下降緩斜面として形成されており、複数個のブロックを多段積みした際には、前記下降緩斜面が、ブロック前面上部の天面部分を介しながら複数個のブロックに亘って上下方向に連続する斜路となるものも採用しうる。
【００１８】
下降緩斜面、つまり斜路の表面は、小動物の移動に配慮して、凹凸状又は粗面状に形成するとよい。具体的には、表面に小突起や小さな窪みを規則的又は不規則的に配置してみたり、表面を小階段状に形成したりと、様々な滑り止め加工を採用しうる点は、先の誘導路形成用ブロックと同じである。
【００１９】
ブロック前面が略垂直面をなしている場合には、ブロックを多段積みする際に、下段に位置するブロックより上段に位置するブロックを背面方向にずらして階段状に配置することで、個々のブロックに形成された下降緩斜面を連続させることができる。一方、ブロックを垂直方向に多段積みする必要がある場合には、下降緩斜面を備えたブロック前面上部を、下降緩斜面のないブロック前面下部より前面方向に突出形成することで対応できる。
【００２０】
ブロックの積み上げ方法にかかわらず、ブロックの天面と底面において、多段積みされるブロック同士の連結部を対応形成しておくと、施工の迅速化や脱落防止が図られる。すなわち、前面六角形ブロックには、その前面上辺の天面側に凸となり、前面下辺の底面側に凹となる突起とそれに対応する凹陥部からなる連結部や、ブロックの背面側における上側部分と下側部分、そして左右部分において連結部として嵌合溝が刻設されている。このようにすると、ブロックを階段状に施工する場合には、上段に位置するブロックを背面方向にずらす際の位置決めが容易となる。連結部としては、突起とそれに対応する凹陥部や嵌合溝の組み合わせのほか、ピンを用いた連結方法、別途連結部材を用いる方法等が例示される。
【００２１】
また、本発明に係る誘導路形成用ブロックでは、ブロック前面と背面控部との間に空洞部を設けて、該空洞部と連通する開口をブロック前面又は上面に穿設することにより、植生が可能な多自然型の壁体を実現することができる。とくに、ブロックを階段状に設置する場合、下段に位置するブロックの上部天面が露出することになるので、天面に穿設した開口（透孔）から露出した胴込土砂等より植生が図られるし、ブロック前面をパネル板状に形成して空洞部まで連通する開口が露出するようにしておくと、やはり胴込めされた土砂等から自然な植生が図られる。
【００２２】
以上のような本発明に係る誘導路形成用ブロックは、背面控部を含めた全体をコンクリート製の一体成型品として製造されるのが一般的であるが、背面控部の全部又は一部に金属製や繊維製のネットを用いたもの、例えばコンクリート製で略板状をしたブロック前面より背面側に略コ字形の金網が延設され、全体としてボックス形状をしたものなども含まれる。
【００２３】
さらに本発明では、完成した壁体前面に貼着固定されるコンクリート製パネル材として、前面側に凸条、凹陥部又は段差が設けられており、壁体前面に貼着固定した際には前記凸条等の端部が隣接するパネル間で連続し、略上下方向に連続する緩斜面をなす誘導路が形成されるパネル材とすることもできる。ここにいう誘導路の意義や、誘導路の表面に様々な滑り止め加工を採用しうる点は、先の誘導路形成用ブロックと同様である。
【００２４】
一方、現場打設によりコンクリート製壁体を構築する場合の型枠としては、コンクリート打設面側に凸条、凹陥部又は段差が設けられており、壁体が完成した際には壁体前面において前記凸条等が略上下方向に連続する緩斜面をなす誘導路が転写形成されるものを用いる。この場合においても、型枠を取り外した後の完成したコンクリート製壁体の前面に形成された脱出用誘導路によって小動物の移動が確保されることになる。型枠は、誘導路の転写形成用の凸条等を含めた専用型枠としてもよいし、従来の合板製又は金属製の型枠のコンクリート打設面に対して装着使用する発泡スチロール製等の軽量転写型枠としてもよい。
【００２５】
また、いわゆる捨て型枠と呼ばれる型枠として、コンクリート打設面側に背筋を備える一方、前面側に凸条、凹陥部又は段差が設けられており、壁体が完成した際には壁体前面において前記凸条等が略上下方向に連続する緩斜面をなす誘導路として形成されるものも用いられる。こうした捨て型枠では、足場を必要とせず、複数個を積み上げながら据え付けした後にコンクリートを打設すると、型枠を化粧面としつつ背筋により打設コンクリートと一体化した構造物が得られる利点があり、完成した擁壁等の前面に形成される脱出用誘導路によって小動物の移動が確保されることになる。
【発明の効果】
【００２６】
以上のように、本発明に係る誘導路形成用前面六角形ブロックは、複数個を用いて六角形各辺の密接した、いわゆるハニカム形状の段積みをして壁体を形成する際に有用であり、壁体を高く形成した場合にも、誘導路（斜路）を略連続させた状態に形成できる。こうした斜路は、カエル、イモリ等の両生類やホタルの幼虫等の昆虫類であっても、斜路を伝って水中から陸上へ、あるいはその逆方向に移動することを可能とする。また、高い壁面の存在にもかかわらず、小動物は斜路を伝って移動することが可能になる結果、擁壁等の設置工事により従来の獣道など小動物の移動路が分断されてしまった場合においても、新たな移動路の確保が図られるので、生息環境への悪影響を防止することができる。
【００２７】
また、誘導路が平坦部両側に斜め下方から上昇又は、平坦部両側から斜め上方に上昇するよう設けた誘導路形成用前面六角形ブロックを用いると、壁体の斜面に複雑な誘導路を形成することができる。
【００２８】
さらに、ブロック前面上部の天面部分を下降緩斜面とした誘導路形成用ブロックでは、複数個を多段積みに、とくに下段に位置するブロックより上段に位置するブロックを背面方向にずらして階段状に配置すると、壁面として高く形成した場合においても、壁面を上下方向に連続し、小動物の移動を容易にする斜路を形成することができる。
【００２９】
こうした誘導路形成用ブロックは、植生にも配慮がなされており、空洞部に胴込めされた砕石や土砂部分からブロックの開口を経て植物が繁茂し、生物のすみかが確保される多自然型の壁面の形成が容易であるし、水際部に生息する生物においては、河川等の水位変動にかかわらず常に水際部が確保されるので、安定した生態系の保全が図られる。
【００３０】
そして、本発明に係る前面六角形誘導路形成用ブロックを壁体構築用パネル材として用いれば、既設擁壁や護岸のような壁体の前面部分に貼着固定することにより、当該現場における小動物の生息状況に適合するような形状や経路にて、壁体前面を上下方向に連続し、小動物の移動を可能にする誘導路を新設することができる。壁体設置によって獣道など小動物の移動路が分断されてしまった場合においても、壁体前面に貼着固定するだけで構造に大きな改造を加えることなく新たな移動路を確保でき、生息環境の再生を図ることができる。
【００３１】
また、本発明に係る前面六角形の誘導路形成用ブロックを壁体構築用型枠として用いれば、現場打設により新設されるコンクリート壁体構築時において型枠（場合によっては捨て型枠）の一部又は全部に対して使用するだけで、当該現場における小動物の生息状況に適合するような形状や経路にて、壁体前面を上下方向に連続し、小動物の移動を可能にする誘導路を併設することができる。
【発明を実施するための最良の形態】
【００３２】
図１は本発明に係る誘導路形成用ブロックの一例を示す正面図、図２は同ブロックの平面図、図３は同ブロックの右側面図、図４は同ブロックのＸ−Ｘ断面図、図５は同ブロックの施工図である。図６は本発明に係る誘導路形成用ブロックの更に他の例を示した正面図（ａ）及び右側面図（ｂ）であり、図７は同ブロックを多段に積み重ねた施工例を示す斜視図である。図８は先の図６に示したブロックにおける連結部として他の態様を採用した例の正面図（ａ）、右側面図（ｂ）及びＸ−Ｘ断面図であり、図９は同ブロックの施工状態を示す斜視図である。図１０はさらに他の例のブロックを用いて施工した状態を示す斜視図である。本発明をより詳細に説述するために、添付の図面にしたがって説明する。
【００３３】
図１乃至図４に見られる本発明に係る誘導路形成用ブロックの施工図は、図５に示されている。これらに図示された例の誘導路形成用ブロックは、ブロック前面Ｒ１（化粧面）が左右方向に長く扁平な略六角形状をしたものであり、ブロック前面Ｒ１上部の天面部分が下降緩斜面Ｒ１１として形成されている。すなわち、パネル状をしたブロック前面Ｒ１の厚みを利用して下降緩斜面Ｒ１１を確保したものであり、より具体的には、前面六角形ブロック上辺の最上面部分を平坦なステージ部Ｒ１２とし、当該ステージ部Ｒ１２を中央にして左右方向にそれぞれ下降緩斜面Ｒ１１，Ｒ１１が連設された形態をしている。これら左右の緩斜面Ｒ１１，Ｒ１１の表面や、ステージ部Ｒ１２の表面は、凹凸状又は粗面状に形成しておくのが望ましい。
【００３４】
ブロック前面Ｒ１の表面側（化粧面側）は、護岸設置の際の景観に配慮して、自然石を模した擬石模様の凹凸が形成されており、中央部分と、左右に各１個ずつ、擬石模様を損なわないように不定形状をした開口Ｒ１３ａ，Ｒ１３ｂ，Ｒ１３ｃが穿設されている。これら開口Ｒ１３ａ，Ｒ１３ｂ，Ｒ１３ｃは、いずれもブロック背面控部Ｒ２との間における各空洞部Ｒ３ａ，Ｒ３ｂ，Ｒ３ｃと連通している。図４に示されるように、３つの空洞部のうち、左右の空洞部Ｒ３ｂ，Ｒ３ｃには底板がなく上部から底部までが貫通して透水性が確保されているが、中央の空洞部Ｒ３ａには底板Ｒ５があって、その中央に穿設された断面すり鉢状をした水抜き用の小透孔Ｒ３１によって透水性が確保されている。中央の空洞部Ｒ３ａに底板Ｒ５を設けたのは、後述するように複数個のブロックを多段積みする際の安定性確保を図りつつ、ブロック自体の強度も確保するためである。
【００３５】
本例の誘導路形成用ブロックでは、ブロック前面Ｒ１が略垂直面をなすよう構成されているので、多段に積む際には、図５に示されるように、下段に位置するブロックよりも上段に位置するブロックを背面方向にずらしながら、階段状に設置される。各ブロックの左右端にあってブロック前面Ｒ１とブロック背面控部Ｒ２とを連結するリブＲ４，Ｒ４の上面には連結部となる凹部Ｒ４１，Ｒ４１が設けられており、段積みにした各ブロックに隣接している上段側のブロック前面Ｒ１の底面部分が嵌合することによって、両ブロックのズレ止めが図られることになる。こうして順次ブロックを前面六角形ブロックの各辺が上辺を水平方向にして接するように積み上げることにより形成された擁壁や護岸の前壁面には、複数個のブロックに亘って上下方向斜めに、あるいはつづら折りに、下降緩斜面Ｒ１１とステージ部Ｒ１２が交互に連続した斜路が形成される。
【００３６】
ブロックの空洞部Ｒ３ａ，Ｒ３ｂ，Ｒ３ｃには砕石や土砂が胴込めされるが、形成される擁壁等の傾斜角度によっては、上段側のブロックが下段側のブロックより一層背面側に控えるように配置されることになり、露出したブロック空洞部Ｒ３ａ，Ｒ３ｂ，Ｒ３ｃの上面部分からより効果的な植生が図られることになる。ブロック前面Ｒ１の開口Ｒ１３ａ，Ｒ１３ｂ，Ｒ１３ｃは、斜路を移動する小動物のすみかとなったり、水中に没した部分では魚巣ともなり得る。
【００３７】
図６は、本発明に係る誘導路形成用ブロックの他の例を示した正面図（ａ）及び右側面図（ｂ）である。本例のブロックでも、正面視略横長六角形状をした前面六角形ブロックの前面Ｕ１の上辺天面部分において平坦なステージ部Ｕ１２を中央にして左右方向にそれぞれ下降緩斜面Ｕ１１，Ｕ１１が設けられているが、これら下降緩斜面Ｕ１１，Ｕ１１を備えたブロック前面Ｕ１の上部が、下降緩斜面を有しないブロック前面Ｕ１下部よりも前面方向に突出形成されている点において、先の例のブロックと相違している。また、ブロック前面Ｕ１とブロック背面控部Ｕ２との間に空洞部はみられず、その代わりに、ブロックの天面側に凸となり、ブロックの底面側に凹となる連結部Ｕ４１が設けられている点においても、先の例のブロックと相違が見られる。
【００３８】
そして、従前説明してきた例のブロックと異なり、本例のブロックは、階段状に積み上げるのではなくて、垂直又は急勾配斜面に積むことにより擁壁面を形成する場合に用いられる。すなわち、図７は本例のブロックの施工状態を示す斜視図であり、図示されるように、ブロックの連結部Ｕ４１が上下方向に嵌合するよう連続して多段積みされる。各ブロック背面控部Ｕ２には設置斜面との間にアンカーＵ５が張設されており、このアンカーＵ５によってブロックを固定しつつ、各ブロックが多段に積み上げ施工された後に裏込め材が投入されることになる。積み上げられたブロックが擁壁として完成した状態においては、壁面から突出したブロック前面Ｕ１の上部における下降緩斜面Ｕ１１とステージ部Ｕ１２が連続し、完成した擁壁面において上下方向斜めに、あるいはつづら折り状の斜路が形成されるのである。
【００３９】
なお、本例のブロックを垂直方向に積む場合、下降緩斜面Ｕ１１とステージ部Ｕ１２が、いずれもやや斜め下方に傾斜してしまうので、それらの表面には凹凸状又は粗面状の滑り止めを施すのが望ましい。より効果的に小動物の滑落を防止するためには、下降緩斜面Ｕ１１とステージ部Ｕ１２部分を溝状にした凹面部として形成するとよい。
【００４０】
図８は、図６のブロックにおける連結部として他の態様を採用した例の正面図（ａ）、右側面図（ｂ）及びＸ−Ｘ断面図（ｃ）である。本例のブロックでは、連結部として嵌合溝Ｕ４２が採用されており、ブロックの背面側における上側部分と下側部分、そして左右部分において嵌合溝Ｕ４２が刻設されている。図９は同ブロックの施工状態を示す斜視図である。図示されるように、ブロックを多段に積む際には隣接するブロックの嵌合溝Ｕ４２に対して跨るように連結板Ｕ６を嵌入することによって、ブロック同士の連結固定が図られる。連結板Ｕ６の背面側からは設置斜面との間にアンカーＵ５が張設されており、このアンカーＵ５によって固定されながら各ブロックが積み上げ施工された後に裏込め材が投入されることになる。ブロック上側部分の嵌合溝Ｕ４２に見られる切り欠きＵ４３は、アンカーＵ５嵌入用として設けられたものである。
【００４１】
こうして多数個の前面六角形ブロックを段積み施工することにより形成された擁壁は、裏込め材が投入されて完成した際には、先の例と同様に、壁面から前方に突出したブロック前面Ｕ１の上部における下降緩斜面Ｕ１１とステージ部Ｕ１２が連続し、擁壁面全体において上下方向斜めに、あるいはつづら折り状に連続する斜路が形成されるのである。
【００４２】
図１０は、さらに他の例の前面六角形ブロックを用いて施工した状態を示す斜視図である。本例のブロックも、正面視略横長六角形状をしたブロック前面Ｖ１の上部天面部分において平坦なステージ部Ｖ１２を中央にして左右方向にそれぞれ下降緩斜面Ｖ１１，Ｖ１１が設けられており、これら下降緩斜面Ｖ１１，Ｖ１１を備えたブロック前面Ｖ１の上部が、下降緩斜面を有しないブロック前面Ｖ１下部よりも前面方向に突出形成されている点は先の図６のブロック等と同じであるが、ブロック全体が背面控部方向に長く形成されており、かつ、上面と背面が開放した空洞部Ｖ３が設けられている点が相違している。図中に格子状模様で示されるように、空洞部Ｖ３の内部に砕石や土砂等が胴込めされながら複数個のブロックが多段に積み上げられると、空洞部Ｖ３の前端部分とともにステージ部Ｖ１２や下降緩斜面Ｖ１１，Ｖ１１が壁面から前方に突出し、これらステージ部Ｖ１２や下降緩斜面Ｖ１１，Ｖ１１が連続することにより、擁壁面全体において上下方向斜めに、あるいはつづら折り状に連続する斜路が形成されるのである。
【００４３】
図６乃至図１０に示す前面六角形ブロックはパネル材として既設の壁体前面に貼着固定して用いることもできる。既設の壁体前面Ｗは平滑面であるか粗面であるかを問わないし、傾斜角度についてもさほど問題にならない。要は、パネル材を貼着固定することが可能な壁体であればよいのであって、接着剤やアンカーなど各種固定手段を適宜選択使用することにより貼着固定される。これら図示のパネル材と、同パネル材よりやや厚みの薄いパネル材とを組み合わせながら、複数個のパネル材を既設壁体前面の下端付近から上端まで三段にグループ分けしたり、グループ分けすることなく、完全な直線として連続固定したりしてもよい。また、既設壁体として河川の擁壁面を想定しており、水面位置を考慮して既設壁体前面の下端より若干控えた位置からパネル材を貼着しても、既設壁体前面Ｗの最下端を起点としてもよく、前面六角形ブロックの形状は傾斜角度に応じて適宜組み合わせて用いることができることは言うまでもない。
【００４４】
また、本発明のブロックは、現場におけるコンクリート打設によって新たに壁体の構築施工を図る場合であって、型枠としてそのまま構造物の化粧面とする捨て型枠として用いる場合は、従来同様ブロックの背面側、つまりコンクリート打設面側に背筋を突設させたものを型枠とする。背筋としては、従来の捨て型枠に使用されている鋼製のＬ型脚やアンカーのほか、金属製や繊維製のネット等も好適に用いられる。あるいは、積み上げた型枠の裏面側をアングル材等で連結施工してもよい。いずれにしても、背面側に打設されたコンクリートによって一体化した擁壁等が構築され、完成した擁壁等の前面側には、壁体前面において凸条等が略上下方向に連続する緩斜面をなす誘導路が形成されることになり、移動する小動物の滑落防止が図られる。
【図面の簡単な説明】
【００４５】
【図１】本発明に係る誘導路形成用ブロックの一例を示す正面図である。
【図２】同ブロックの平面図である。
【図３】同ブロックの右側面図である。
【図４】同ブロックのＸ−Ｘ断面図である。
【図５】同ブロックの施工図である。
【図６】本発明に係る誘導路形成用ブロックの更に他の例を示した正面図（ａ）及び右側面図（ｂ）である。
【図７】同ブロックを多段に積み重ねた施工例を示す斜視図である。
【図８】先の図６に示したブロックにおける連結部として他の態様を採用した例の正面図（ａ）、右側面図（ｂ）及びＸ−Ｘ断面図である。
【図９】同ブロックの施工状態を示す斜視図である。
【図１０】さらに他の例のブロックを用いて施工した状態を示す斜視図である。
【符号の説明】
【００４６】
１  単誘導路
１ａ，１ｂ  誘導路
２  第１平坦部
３  凸部
４  凹部
５  第２平坦部
７  凹部
Ｒ１  ブロック前面
Ｒ２  背面控部
Ｒ３ａ，Ｒ３ｂ，Ｒ３ｃ  各空洞部
Ｒ４  リブ
Ｒ５  底板
Ｒ１１  下降緩斜面
Ｒ１２  ステージ部
Ｒ１３ａ，Ｒ１３ｂ，Ｒ１３ｃ  開口
Ｒ３１  小透孔
Ｒ４１  凹部
Ｕ１  ブロック前面
Ｕ２  ブロック背面控部
Ｕ５  アンカー
Ｕ６  連結板
Ｕ１１  下降緩斜面
Ｕ１２  ステージ部
Ｕ４１  連結部
Ｕ４２  嵌合溝
Ｖ１  ブロック前面
Ｖ３  空洞部
Ｖ１１  下降緩斜面
Ｖ１２  ステージ部
【手続補正３】
【補正対象書類名】図面
【補正対象項目名】全図
【補正方法】変更
【補正の内容】
【図１】
2008101460.tif 000048
【図２】
2008101460.tif 000049
【図３】
2008101460.tif 000050
【図４】
2008101460.tif 000051
【図５】
2008101460.tif 000052
【図６】
2008101460.tif 000053
【図７】
2008101460.tif 000054
【図８】
2008101460.tif 000055
【図９】
2008101460.tif 000056
【図１０】
2008101460.tif 000057